(57)【要約】【課題】  保存安定性及び洗浄力に優れ、トリガー式スプレイヤーを備えた吐出容器に収容して泡塗布による漂白洗浄を行うのに適した、液体漂白洗浄剤組成物を提供する。【解決手段】  （ａ）過酸化水素、（ｂ）界面活性剤、（ｃ）フェノール系ラジカルトラップ剤、（ｄ）（ｄ１）炭素数１〜５の１価アルコール、（ｄ２）炭素数２〜１２の多価アルコール、（ｄ３）特定の一般式（１）で表される化合物、及び（ｄ４）特定の一般式（２）で表される化合物からなる群から選ばれるアルコール系化合物、並びに（ｅ）水を、それぞれ特定比率で含有し、２０℃におけるｐＨが７〜１１である液体漂白剤組成物。  【選択図】  なし【特許請求の範囲】
【請求項１】
（ａ）過酸化水素０．１〜１０質量％、（ｂ）界面活性剤１〜２０質量％、（ｃ）フェノール系ラジカルトラップ剤３〜１０質量％、（ｄ）（ｄ１）炭素数１〜５の１価アルコール、（ｄ２）炭素数２〜１２の多価アルコール、（ｄ３）下記の一般式（１）で表される化合物、及び（ｄ４）下記の一般式（２）で表される化合物からなる群から選ばれるアルコール系化合物０．１〜１０質量％、並びに（ｅ）水５０〜９５質量％を含有し、（ａ）過酸化水素／（ｃ）フェノール系ラジカルトラップ剤の質量比が１０／１〜１／５０、（ｃ）フェノール系ラジカルトラップ剤／（ｄ）アルコール系化合物の質量比が２０／１〜１／２０、２０℃におけるｐＨが７〜１１である液体漂白剤組成物。
Ｒ1Ｏ(Ｃ2Ｈ4Ｏ)e(Ｃ3Ｈ6)fＲ2          （１）
Ｒ3ＯＣＨ2ＣＨ(ＯＨ)ＣＨ2ＯＨ          （２）
〔式中、Ｒ1及びＲ2は、それぞれ水素原子、炭素数１〜６のアルキル基又はベンジル基を示すが、Ｒ1及びＲ2の双方が水素原子となる場合を除く。ｅは０〜１０の数を、ｆは０〜１０の数を示すが、ｅ及びｆの双方が０である場合を除く。Ｒ3は炭素数１〜８のアルキル基を示す。〕
【請求項２】
更に、（ｆ）ホスホン酸系金属捕捉剤０．０５〜５質量％含有する請求項１記載の液体漂白剤組成物。
【請求項３】
更に、（ｇ）ホウ素化合物０．０１〜５質量％含有する請求項１又は２記載の液体漂白剤組成物。
【請求項４】
（ａ）過酸化水素０．１〜１０質量％、（ｂ）界面活性剤１〜２０質量％、（ｃ）フェノール系ラジカルトラップ剤３〜１０質量％、（ｄ）（ｄ１）炭素数１〜５の１価アルコール、（ｄ２）炭素数２〜１２の多価アルコール、（ｄ３）下記の一般式（１）で表される化合物、及び（ｄ４）下記の一般式（２）で表される化合物からなる群から選ばれるアルコール系化合物０．１〜１０質量％、並びに（ｅ）水５０〜９５質量％を含有し、（ａ）過酸化水素／（ｃ）フェノール系ラジカルトラップ剤の質量比が１０／１〜１／５０、（ｃ）フェノール系ラジカルトラップ剤／（ｄ）アルコール系化合物の質量比が２０／１〜１／２０、２０℃におけるｐＨが７〜１１である液体漂白剤組成物を、被洗浄物に泡状に塗布して用いる洗浄方法。
Ｒ1Ｏ(Ｃ2Ｈ4Ｏ)e(Ｃ3Ｈ6)fＲ2          （１）
Ｒ3ＯＣＨ2ＣＨ(ＯＨ)ＣＨ2ＯＨ          （２）
〔式中、Ｒ1及びＲ2は、それぞれ水素原子、炭素数１〜６のアルキル基又はベンジル基を示すが、Ｒ1及びＲ2の双方が水素原子となる場合を除く。ｅは０〜１０の数を、ｆは０〜１０の数を示すが、ｅ及びｆの双方が０である場合を除く。Ｒ3は炭素数１〜８のアルキル基を示す。〕
【請求項５】
被洗浄物が衣料である請求項４記載の洗浄方法。
【請求項６】
（ａ）過酸化水素０．１〜１０質量％、（ｂ）界面活性剤１〜２０質量％、（ｃ）フェノール系ラジカルトラップ剤３〜１０質量％、（ｄ）（ｄ１）炭素数１〜５の１価アルコール、（ｄ２）炭素数２〜１２の多価アルコール、（ｄ３）下記の一般式（１）で表される化合物、及び（ｄ４）下記の一般式（２）で表される化合物からなる群から選ばれるアルコール系化合物０．１〜１０質量％、並びに（ｅ）水５０〜９５質量％を含有し、（ａ）過酸化水素／（ｃ）フェノール系ラジカルトラップ剤の質量比が１０／１〜１／５０、（ｃ）フェノール系ラジカルトラップ剤／（ｄ）アルコール系化合物の質量比が２０／１〜１／２０、２０℃におけるｐＨが７〜１１である液体漂白剤組成物を、該組成物を泡状に吐出するトリガー式スプレイヤーを備えた吐出容器に収納した液体漂白剤物品。
Ｒ1Ｏ(Ｃ2Ｈ4Ｏ)e(Ｃ3Ｈ6)fＲ2          （１）
Ｒ3ＯＣＨ2ＣＨ(ＯＨ)ＣＨ2ＯＨ          （２）
〔式中、Ｒ1及びＲ2は、それぞれ水素原子、炭素数１〜６のアルキル基又はベンジル基を示すが、Ｒ1及びＲ2の双方が水素原子となる場合を除く。ｅは０〜１０の数を、ｆは０〜１０の数を示すが、ｅ及びｆの双方が０である場合を除く。Ｒ3は炭素数１〜８のアルキル基を示す。〕
【発明の詳細な説明】
【技術分野】
【０００１】
本発明は、液体漂白剤組成物、トリガー式スプレイヤーを備えた吐出容器に液体漂白剤組成物を収容した液体漂白剤物品、及び液体漂白剤組成物を用いた洗浄方法に関する。特に衣料用液体漂白剤組成物、及び衣料用洗浄方法に関する。
【背景技術】
【０００２】
食べこぼしのシミや肌着の黄ばみ等は通常の洗剤では落としきれない汚れであるため、一般に漂白剤が併用されたり、漂白剤が配合された洗剤を使用するなどの方法が採られている。漂白剤は塩素系漂白剤と酸素系漂白剤に分けられるが、塩素系漂白剤は使用できる繊維に制限があり、色、柄物に使用できず、また特有の臭いを有していることから、これらの欠点の無い酸素系漂白剤が近年著しく普及している。中でも、過酸化水素を主基剤とする液体漂白剤組成物は色・柄物に使用でき、汚れに直接塗布できるなどの利点から好まれて使用されている。
【０００３】
過酸化水素を主基剤とする液体漂白剤組成物は、保存安定性の点で低ｐＨが有利であり、洗浄性能の点で高ｐＨが有利であるため、保存安定性及び洗浄性能の両立を目指した研究が進められてきた。例えば、過酸化水素を含有する酸性溶液とアルカリ性溶液とを別々の容器に収容し、使用時に混合して用いる２剤型漂白剤が知られている（特許文献１、２、３参照）。また、別の試みとして、過酸化水素を含有する酸性溶液であるが、希釈によりｐＨがアルカリ側に変化するｐＨジャンプ系が知られている（特許文献４、５、６参照）。
【０００４】
また、過酸化水素、遊離基捕捉剤、キレート化剤およびｐＨ緩衝剤を含んでなるｐＨ８を超える組成物が知られている（特許文献７参照）。また、過酸化水素及びフェノール系ラジカルトラップ剤を含有する組成物が知られている（特許文献８参照）。
【特許文献１】特開平３−１４０４００号公報
【特許文献２】特開２００３−１０５３９２号公報
【特許文献３】特表９−５０６１３０号公報
【特許文献４】特開平６−１００８８８号公報
【特許文献５】特開平７−５３９９４号公報
【特許文献６】特開平１０−７２５９５号公報
【特許文献７】特表２００１−５０３８１４号公報
【特許文献８】特開２００３−２６８３９８号公報
【発明の開示】
【発明が解決しようとする課題】
【０００５】
しかしながら、特許文献１、２には、リフィール性の問題、簡便性の問題、容器の複雑化の問題等の課題がある。また、特許文献４〜６では、特に塗布時において充分な洗浄力が得られていない。また、特許文献７には、過酸化水素の分解を防止する程度遊離基捕捉剤を添加すると、遊離基捕捉剤が析出したり組成物が分離するという問題があり、遊離基捕捉剤が析出しない程度の添加では、過酸化水素が分解するという問題があった。また、特許文献８は、フェノール系ラジカルトラップ剤が析出しない程度の添加では、過酸化水素が分解しないようにするためにはｐＨをせいぜい６までに抑える必要があり、このため洗浄力は充分とはいえなかった。
【０００６】
一方、液状物を吐出する吐出容器においては、容器本体の口部に、トリガー式スプレイヤー、ポンプ式スプレイヤー等の吐出装置が装着された吐出容器、ボトルをスクイズすることにより泡やシャワー状に液状物を吐出するスクイズ式吐出容器等多くのタイプの吐出容器がある。これらの容器においては、使用時の液垂れ、目詰まりについて考慮する必要がある。
【０００７】
本発明の課題は、保存安定性及び洗浄力に優れた液体漂白洗浄剤組成物、トリガー式スプレイヤーを備えた吐出容器に該液体漂白剤組成物を収容した液体漂白剤物品、及び該液体漂白剤組成物を用いた洗浄方法を提供することにある。
【課題を解決するための手段】
【０００８】
本発明は、（ａ）過酸化水素０．１〜１０質量％、（ｂ）界面活性剤１〜２０質量％、（ｃ）フェノール系ラジカルトラップ剤３〜１０質量％、（ｄ）（ｄ１）炭素数１〜５の１価アルコール、（ｄ２）炭素数２〜１２の多価アルコール、（ｄ３）下記の一般式（１）で表される化合物、及び（ｄ４）下記の一般式（２）で表される化合物からなる群から選ばれるアルコール系化合物０．１〜１０質量％、並びに（ｅ）水５０〜９５質量％を含有し、（ａ）過酸化水素／（ｃ）フェノール系ラジカルトラップ剤の質量比が１０／１〜１／５０、（ｃ）フェノール系ラジカルトラップ剤／（ｄ）アルコール系化合物の質量比が２０／１〜１／２０、２０℃におけるｐＨが７〜１１である液体漂白剤組成物に関する。
【０００９】
Ｒ1Ｏ(Ｃ2Ｈ4Ｏ)e(Ｃ3Ｈ6)fＲ2          （１）
Ｒ3ＯＣＨ2ＣＨ(ＯＨ)ＣＨ2ＯＨ          （２）
〔式中、Ｒ1及びＲ2は、それぞれ水素原子、炭素数１〜６のアルキル基又はベンジル基を示すが、Ｒ1及びＲ2の双方が水素原子となる場合を除く。ｅは０〜１０の数を、ｆは０〜１０の数を示すが、ｅ及びｆの双方が０である場合を除く。Ｒ3は炭素数１〜８のアルキル基を示す。〕
【００１０】
また、本発明は、（ａ）過酸化水素０．１〜１０質量％、（ｂ）界面活性剤１〜２０質量％、（ｃ）フェノール系ラジカルトラップ剤３〜１０質量％、（ｄ）（ｄ１）炭素数１〜５の１価アルコール、（ｄ２）炭素数２〜１２の多価アルコール、（ｄ３）上記の一般式（１）で表される化合物、及び（ｄ４）上記の一般式（２）で表される化合物からなる群から選ばれるアルコール系化合物０．１〜１０質量％、並びに（ｅ）水５０〜９５質量％を含有し、（ａ）過酸化水素／（ｃ）フェノール系ラジカルトラップ剤の質量比が１０／１〜１／５０、（ｃ）フェノール系ラジカルトラップ剤／（ｄ）アルコール系化合物の質量比が２０／１〜１／２０、２０℃におけるｐＨが７〜１１である液体漂白剤組成物を、被洗浄物に泡状に塗布して用いる洗浄方法に関する。
【００１１】
また、本発明は、（ａ）過酸化水素０．１〜１０質量％、（ｂ）界面活性剤１〜２０質量％、（ｃ）フェノール系ラジカルトラップ剤３〜１０質量％、（ｄ）（ｄ１）炭素数１〜５の１価アルコール、（ｄ２）炭素数２〜１２の多価アルコール、（ｄ３）上記の一般式（１）で表される化合物、及び（ｄ４）上記の一般式（２）で表される化合物からなる群から選ばれるアルコール系化合物０．１〜１０質量％、並びに（ｅ）水５０〜９５質量％を含有し、（ａ）過酸化水素／（ｃ）フェノール系ラジカルトラップ剤の質量比が１０／１〜１／５０、（ｃ）フェノール系ラジカルトラップ剤／（ｄ）アルコール系化合物の質量比が２０／１〜１／２０、２０℃におけるｐＨが７〜１１である液体漂白剤組成物を、該組成物を泡状に吐出するトリガー式スプレイヤーを備えた吐出容器に収納した液体漂白剤物品に関する。
【００１２】
本発明の好ましい態様として以下のものが挙げられる。
（ｉ）更に、（ｆ）ホスホン酸系金属捕捉剤０．０５〜５質量％含有する液体漂白剤組成物、
（ii）更に、（ｇ）ホウ素化合物０．０１〜５質量％含有する液体漂白剤組成物、
（iii）被洗浄物が衣料である洗浄方法。
【発明の効果】
【００１３】
本発明により、保存安定性及び洗浄力に優れた液体漂白剤組成物、トリガー式スプレイヤーを備えた吐出容器に該液体漂白剤組成物を収容した保存安定性、使用性、洗浄力に優れた液体漂白剤物品、及び該液体漂白剤組成物を用いた洗浄力に優れた洗浄方法が得られる。
【発明を実施するための最良の形態】
【００１４】
＜液体漂白剤組成物＞
本発明に係わる液体漂白剤組成物は、（ａ）過酸化水素〔以下、（ａ）成分という〕０．１〜１０質量％、（ｂ）界面活性剤〔以下、（ｂ）成分という〕１〜２０質量％、（ｃ）フェノール系ラジカルトラップ剤〔以下、（ｃ）成分という〕３〜１０質量％、（ｄ）（ｄ１）炭素数１〜５の１価アルコール、（ｄ２）炭素数２〜１２の多価アルコール、（ｄ３）上記の一般式（１）で表される化合物、（ｄ４）上記の一般式（２）で表される化合物から選ばれるアルコール系化合物〔以下、（ｄ）成分という〕０．１〜１０質量％、及び（ｅ）水〔以下、（ｅ）成分という〕５０〜９５質量％を含有し、（ａ）過酸化水素／（ｃ）フェノール系ラジカルトラップ剤の質量比が１０／１〜１／５０、（ｃ）フェノール系ラジカルトラップ剤／（ｄ）アルコール系化合物の質量比が２０／１〜１／２０、２０℃におけるｐＨが７〜１１である。
【００１５】
本発明に係わる液体漂白剤組成物の２０℃におけるｐＨは、安定性、洗浄性能の点で、好ましくは７．５〜１０．５、より好ましくは８〜１０、更に好ましくは８．５〜９．５である。このようなｐＨに調整するためのｐＨ調整剤としては塩酸、硫酸などの無機酸、もしくはクエン酸、コハク酸、リンゴ酸、フマル酸、酒石酸、マロン酸、マレイン酸などの有機酸などの酸剤、又は水酸化ナトリウムや水酸化カリウム、アンモニア及びその誘導体、アミン塩（モノエタノールアミン、ジエタノールアミン、トリエタノールアミンなど）、炭酸ナトリウム、炭酸カリウムなどのアルカリ剤を、単独もしくは複合して用いることが好ましく、特に塩酸、硫酸から選ばれる酸又は水酸化ナトリウム、水酸化カリウムから選ばれるアルカリ剤を用いることが好ましい。
【００１６】
また、本発明に係わる液体漂白剤組成物は、２０℃における粘度が３〜１００ｍＰａ・ｓ、更に３〜８０ｍＰａ・ｓ、特に、４〜６０ｍＰａ・ｓの範囲であることが、泡状物として吐出する点で好適である。このような粘度に調整するために本発明では粘度調整剤を配合することができる。粘度調整剤としては、（１）炭素数１〜３のアルキル基、もしくはヒドロキシ基が１〜３個置換していてもよいベンゼンスルホン酸、（２）重量平均分子量３０００〜１０００００のポリエチレングリコールもしくはポリプロピレングリコール、（３）キサンタンガム、グアガム、及びカルボキシメチルセルロースから選ばれる糖系高分子化合物、（４）炭素数１２〜２０、好ましくは１４〜１８のアルキル基もしくはアルケニル基と平均付加モル数が６０〜２００、好ましくは１００〜２００のポリオキシエチレン鎖とを有する非イオン性物質、及び（５）該（４）の非イオン性物質とビニルシクロヘキセンジエポキシド等のジエポキシ化合物との反応生成物を用いることができる。このような粘度調整剤の比率は液体漂白剤組成物中０〜１０質量％、更に０．０１〜５質量％が好適である。
【００１７】
〔（ａ）成分〕
本発明に係わる液体漂白剤組成物は、（ａ）成分として過酸化水素を０．１〜１０質量％含有する。好ましくは（ａ）成分を０．５〜８質量％、より好ましくは１〜６質量％、特に好ましくは１．５〜５質量％含有する。このような範囲において優れた漂白効果、安全性を得ることができる。
【００１８】
〔（ｂ）成分〕
本発明に係わる液体漂白剤組成物は、（ｂ）成分として界面活性剤を１〜２０質量％含有する。好ましくは２〜１８質量％、より好ましくは３〜１５質量％、特に好ましくは４〜１２質量％含有する。このような範囲において優れた漂白効果を得ることができる。
【００１９】
優れた漂白効果、トリガー式スプレイヤーを用いた場合の摺動性の長期間維持の点で、（ａ）過酸化水素／（ｂ）界面活性剤の質量比は３／１〜１／１０が好ましく、２／１〜１／８がより好ましく、１／１〜１／５が更に好ましい。
【００２０】
（ｂ）成分としては、アルキルグリコシド、ポリオキシエチレンアルキルエーテル、ソルビタン脂肪酸エステル、ポリオキシエチレンソルビタン脂肪酸エステル、ポリオキシエチレン脂肪酸エステル、オキシエチレンオキシプロピレンブロックポリマー（プルロニック）、脂肪酸モノグリセライド、及びアミンオキサイド等の非イオン界面活性剤；石鹸、アルキル硫酸塩、アルキルベンゼンスルホン酸塩、ポリオキシエチレンアルキル硫酸エステル塩、スルホコハク酸ジエステル塩等の陰イオン界面活性剤；モノまたはジアルキルアミン及びそのポリオキシエチレン付加物、モノまたはジ長鎖アルキル第４級アンモニウム塩等の陽イオン界面活性剤；カルボベタイン、スルホベタイン、ヒドロキシスルホベタイン等の両性界面活性剤が挙げられる。（ｂ）成分は、上記界面活性剤からなる群から選択される１種又は２種以上の混合物として使用され得る。
【００２１】
漂白効果、安定性、トリガー式スプレイヤーを用いた場合の摺動性の長期間維持の点で、（ｂ）成分中の非イオン界面活性剤は５０質量％以上が好ましく、６０質量％以上がより好ましく、７０質量％以上が更に好ましく、８０質量％以上が特に好ましい。
【００２２】
トリガー式スプレイヤーを用いた場合において、ノズルの目詰まりを防止し、良好なスプレー特性を得る点で、陰イオン界面活性剤を液体漂白剤組成物中に０．１〜５質量％含有することが好ましく、０．３〜４質量％がより好ましく、０．５〜３質量％が更に好ましく、０．６〜２．５質量％が特に好ましい。
【００２３】
〔（ｃ）成分〕
本発明に係わる液体漂白剤組成物は、（ｃ）成分としてフェノール系ラジカルトラップ剤を３〜１０質量％含有する。好ましくは（ｃ）成分を４〜９．５質量％、より好ましくは５〜８質量％、更に好ましくは６〜７．５質量％、特に好ましくは６．５〜７質量％含有する。このような範囲において優れた漂白効果、安定性の長期間維持を得ることができる。
【００２４】
（ｃ）成分としては、フェノール性水酸基を有する化合物又はフェノール性水酸基のエステル誘導体、エーテル誘導体等が挙げられる。このような化合物として、より具体的には、クレゾール、チモール、クロロフェノール、ブロモフェノール、メトキシフェノール、ニトロフェノール、ヒドロキシ安息香酸、サリチル酸、ヒドロキシベンゼンスルホン酸、ジ−ｔ−ブチル−ヒドロキシトルエン、ナフトール、ヒドロキノン、カテコール、ピロガロール、フェノキシエタノール、フェノールなどが挙げられる。これらの中でも４−メトキシフェノール、４−ヒドロキシ安息香酸、ヒドロキノン、カテコールがより好ましく、更にラジカルトラップ剤の安定性を考慮すれば、これらの中でも４−メトキシフェノール、４−ヒドロキシ安息香酸が更に好ましく、４−メトキシフェノールが特に好ましい。
【００２５】
優れた漂白効果、安定性の長期間維持を得る点で、（ａ）過酸化水素／（ｃ）フェノール系ラジカルトラップ剤の質量比が１０／１〜１／５０であり、８／１〜１／４０が好ましく、６／１〜１／３０がより好ましく、４／１〜１／２０が更に好ましく、２／１〜１／１０が特に好ましい。
【００２６】
〔（ｄ）成分〕
本発明に係わる液体漂白剤組成物は、（ｄ）（ｄ１）炭素数１〜５の１価アルコール、（ｄ２）炭素数２〜１２の多価アルコール、（ｄ３）上記の一般式（１）で表される化合物、及び（ｄ４）上記の一般式（２）で表される化合物からなる群から選ばれるアルコール系化合物を０．１〜１０質量％含有する。優れた漂白効果、安定性の長期間維持を得る点、及びスプレーノズルの目詰まりを防止する点で０.３〜８質量％が好ましく、０．５〜６質量％がより好ましく、０．８〜４質量％が更に好ましい。
【００２７】
（ｄ１）の炭素数１〜５の１価アルコールとしては、エタノール、プロピルアルコール、イソプロピルアルコール等が挙げられる。これらの低級アルコールを配合することにより低温における系の安定性を更に向上させることができる。
【００２８】
（ｄ２）の炭素数２〜１２の多価アルコールとしては、イソプレングリコール、２，２，４−トリメチル−１，３−ペンタンジオール、１，８−オクタンジオール、１，９−ノナンジオール、エチレングリコール、プロピレングリコール、ジエチレングリコール、ジプロピレングリコール、グリセリン、ソルビトール等が挙げられる。
【００２９】
（ｄ３）の化合物は、一般式（１）において、Ｒ1及びＲ2がアルキル基である場合の炭素数は１〜４が特に好ましい。また、一般式（１）中、ＥＯ及びプロピレンオキシドの平均付加モル数のｅ及びｆは、それぞれ０〜１０の数である（ｅ及びｆの双方が０である場合を除く）が、これらの付加順序は特に限定されず、ランダム付加したものであってもよい。（ｄ３）の化合物の具体例としては、エチレングリコールモノブチルエーテル、ジプロピレングリコールジメチルエーテル、ジエチレングリコールモノエチルエーテル、ジエチレングリコールモノブチルエーテル、プロピレングリコールモノメチルエーテル、プロピレングリコールモノブチルエーテル、プロピレングリコールモノエチルエーテル、プロピレングリコールジメチルエーテル、ポリオキシエチレン（ｐ＝２〜３）ポリオキシプロピレン（ｐ＝２〜３）ジメチルエーテル（ｐは平均付加モル数を示す、以下同様）、ポリオキシエチレン（ｐ＝１〜４）フェニルエーテル、フェニルカルビトール、フェニルセロソルブ、ベンジルカルビトール等が挙げられる。このうち、洗浄力及び使用感の点から、プロピレングリコールモノメチルエーテル、ジエチレングリコールモノブチルエーテル、ポリオキシエチレン（ｐ＝１〜４）モノフェニルエーテルが好ましい。
【００３０】
また、（ｄ４）の化合物としてはアルキルグリセリルエーテル化合物が挙げられ、好ましくは一般式（２）中のＲ3が炭素数３〜８のアルキル基の化合物である。
【００３１】
これらのなかでも本発明の性質を満たすために（ｄ１）〜（ｄ４）のアルコール系化合物が好ましく、（ｄ３）、（ｄ４）のアルコール系化合物がより好ましく、（ｄ３）のアルコール系化合物が更に好ましい。
【００３２】
優れた漂白効果、安定性の長期間維持を得る点で、（ｃ）フェノール系ラジカルトラップ剤／（ｄ）アルコール系化合物の質量比は２０／１〜１／２０であり、１５／１〜１／１５が好ましく、１０／１〜１／１０がより好ましく、５／１〜１／５が更に好ましい。
【００３３】
〔（ｅ）成分〕
本発明に係わる液体漂白剤組成物は、（ｅ）成分として水を５０〜９５質量％含有する。水は、微量に水に溶解している金属を除去したイオン交換水又は蒸留水が貯蔵安定性の点から好適である。（ｅ）成分の液体漂白剤組成物中の含有量は、安定性、吐出性の点で好ましくは６０〜９３質量％、より好ましくは７０〜９０質量％である。
【００３４】
〔その他の成分〕
本発明に係わる液体漂白剤組成物は、優れた漂白効果、安定性の長期間維持を得る点から、（ｆ）成分としてホスホン酸系金属捕捉剤を０．０５〜５質量％含有することが好ましく、０．１〜４質量％がより好ましく、０．５〜３質量％が更に好ましく、１〜２質量％が特に好ましい。
【００３５】
（ｆ）成分としては、１−ヒドロキシエタン−１，１−ジホスホン酸、エタン−１，１−ジホスホン酸、エタン−１，１，２−トリホスホン酸、ヒドロキシエタン−１，１，２−トリホスホン酸、エタン−１，２−ジカルボキシ−１，２−ジホスホン酸、ヒドロキシメタンホスホン酸、エチレンジアミンテトラ（メチレンホスホン酸）、ニトリロトリ（メチレンホスホン酸）、２−ヒドロキシエチルイミノジ（メチレンホスホン酸）、ヘキサメチレンジアミンテトラ（メチレンホスホン酸）、ジエチレントリアミンペンタ（メチレンホスホン酸）等の有機ホスホン酸誘導体やその塩を挙げることができる。これらの中でも１−ヒドロキシエタン−１，１−ジホスホン酸やその塩が好ましい。
【００３６】
本発明に係わる液体漂白剤組成物は、優れた漂白効果、安定性の長期間維持を得る目的から（ｇ）成分としてホウ素化合物を０．０１〜５質量％含有することが好ましく、０．０５〜３質量％がより好ましく、０．１〜２質量％が更に好ましく、０．５〜１質量％が特に好ましい。
【００３７】
（ｇ）成分としては、ホウ酸やホウ酸塩等を挙げることができるが、中でも４ホウ酸ナトリウム・５水塩、４ホウ酸ナトリウム・１０水塩が製造上好ましい。
【００３８】
本発明に係わる液体漂白剤組成物は、漂白効果を向上させる目的から（ｈ）成分として漂白活性化剤を含有することが好ましく、組成物中の含有量は０．１〜５質量％がより好ましく、０．２〜３質量％が更に好ましく、０．４〜１質量％が特に好ましい。
【００３９】
（ｈ）成分としては、アルカノイルオキシベンゼン型漂白活性化剤が好ましく、特に炭素数８〜１４、好ましくは８〜１３のアルカノイル基を有するアルカノイルオキシベンゼンスルホン酸もしくは炭素数８〜１４、好ましくは８〜１３のアルカノイル基を有するアルカノイルオキシベンゼンカルボン酸又はこれらの塩が好ましい。より具体的に好ましい例としてはオクタノイルオキシ−ｐ−ベンゼンスルホン酸、ノナノイルオキシ−ｐ−ベンゼンスルホン酸、３，５，５−トリメチルヘキサノイルオキシ−ｐ−ベンゼンスルホン酸、デカノイルオキシ−ｐ−ベンゼンスルホン酸、ドデカノイルオキシ−ｐ−ベンゼンスルホン酸、オクタノイルオキシ−ｏ−又は−ｐ−ベンゼンカルボン酸、ノナノイルオキシ−ｏ−又は−ｐ−ベンゼンカルボン酸、３，５，５−トリメチルヘキサノイルオキシ−ｏ−又は−ｐ−ベンゼンカルボン酸、デカノイルオキシ−ｏ−又は−ｐ−ベンゼンカルボン酸、ドデカノイルオキシ−ｏ−又は−ｐ−ベンゼンカルボン酸、及びこれらの塩が挙げられる。塩としてはナトリウム塩、カリウム塩、マグネシウム塩が好ましく、特にナトリウム塩が溶解性の点から好ましい。
【００４０】
これらの中でも特にノナノイルオキシ−ｐ−ベンゼンスルホン酸、デカノイルオキシ−ｐ−ベンゼンカルボン酸、ドデカノイルオキシ−ｐ−ベンゼンスルホン酸及びこれらの塩が漂白効果の点から好ましい。
【００４１】
本発明に係わる液体漂白剤組成物は、漂白効果を高める目的から（ｉ）成分として分散剤を含有することが好ましく、組成物中の含有量は０．０５〜１４質量％がより好ましく、０．１〜８質量％が更に好ましい。特に、重量平均分子量５千〜４万、好ましくは５千〜１万のポリアクリル酸もしくはその塩又はポリメタクリル酸もしくはその塩、重量平均分子量１万〜１０万、好ましくは３万〜７万のアクリル酸とマレイン酸とのコポリマーもしくはその塩から選ばれるカルボン酸系ポリマー、及び／又は重量平均分子量４千〜２万、好ましくは５千〜１万のポリエチレングリコールから選ばれる非イオン性ポリマーが好ましい。
【００４２】
本発明に係わる液体漂白剤組成物は、漂白繊維に対する漂白効果を増すために蛍光増白剤として、チノパールＣＢＳ（チバ・スペシャルティ・ケミカルズ社製）、チノパールＳＷＮ（チバ・スペシャルティ・ケミカルズ社製）や、カラー・インデックス蛍光増白剤２８、４０、６１、７１等のような蛍光増白剤や、漂白性能を向上させるために酵素（セルラーゼ、アミラーゼ、プロテアーゼ、リパーゼ）することができる。また染料や顔料のような着色剤、香料、シリコーン類、殺菌剤、紫外線吸収剤等の種々の微量添加物を適量配合してもよい。
【００４３】
＜吐出容器＞
本発明に係わる吐出容器は、液体漂白剤組成物の収納部と、該液体漂白剤組成物の泡状での吐出手段としてトリガー式スプレイヤーを備えるものが好ましい。
【００４４】
本発明に係るトリガー式スプレイヤーには、互いに摺動する構成部材と、嵌合により該トリガー式スプレイヤーを構成する部材とが存在する。例えば、互いに摺動する構成部材としては、トリガー式スプレイヤーのピストンとシリンダー等が挙げられる。また、嵌合によりトリガー式スプレイヤーを構成する部材としては、ポンプハウジングに対する通液体等が挙げられる。
【００４５】
＜液体漂白剤物品＞
本発明の液体漂白剤物品は、上記液体漂白剤組成物を、上記吐出容器に充填してなるものであり、硬質表面用漂白剤、衣料用漂白剤として用いることができる。本発明の液体漂白剤物品は、衣料用漂白剤としてより好ましい。
【００４６】
安全性、漂白性能の点で、液体漂白剤組成物を泡状に吐出させて用いることが好ましい。特に、本発明では、「泡状」とは、対象表面に付着させたときの組成物の単位質量当りの見掛け体積が、気泡を含むことにより２倍以上となり、且つ１分経過後も２倍以上の見掛け体積を保持した状態が好ましい。また、泡状物を構成する気泡は、平均泡径１〜１００００μｍ、更に１０〜５０００μｍ、特に１００〜３０００μｍであることが好ましい。また、泡状に吐出された組成物の粘度は、２０℃で３〜１００ｍＰａ・ｓ、更に３〜８０ｍＰａ・ｓ、特に４〜６０ｍＰａ・ｓであることが好ましい。
【００４７】
＜洗浄方法＞
被洗浄物に対して、本発明の液体漂白剤組成物を泡状に塗布し、接触時間を設けた後、濯ぐ。好ましくは接触時間を設けた後一般の弱アルカリ性洗剤と共に洗濯する。
【００４８】
被洗浄物の単位面積（ｃｍ2）に対する泡状組成物の付着量（ｇ）は、０．１〜１ｇ／ｃｍ2、好ましくは０．１〜０．５ｇ／ｃｍ2が高い漂白効果を得る目的から好ましい。また、泡状組成物と被洗浄物の接触時間は、１〜６００分間、更に３〜３００分間、特に５〜６０分間が好ましい。被洗浄物としては、繊維製品、特に衣料が好ましい。
【実施例】
【００４９】
実施例１〜９及び比較例１〜５
表１の液体漂白剤組成物を吐出容器（下記参照）に３００mｌ収納し、４０℃、湿度２０％で保存し、以下の方法で漂白性能、過酸化水素の安定性評価、及びスプレーノズルの状態を評価した。結果を表１に示した。
【００５０】
（漂白性能評価）
ビリルビン汚染布（親油性汚れのモデル汚れに相当）に、上記条件で一週間保存した液体漂白剤組成物を１ｇ泡状にスプレーして塗布し、１分間放置した。試験布は５枚用意した。放置後、試験布５枚をターゴトメーター（Ｔｅｒｇ−ｏ−ｔｏｍｅｔｅｒ）を用い、市販洗剤（アタック）を０．０６６７％の濃度で溶解させた洗濯液（硬度３ＤＨ、２０℃）１Ｌにて１００ｒｐｍ、１０分間洗浄処理した。この時、試験布５枚は、同じビーカー内で処理した。洗浄後、試験布は流水下（水道水）で十分に濯がれ、室温で乾燥された。乾燥後の試験布の漂白率を下記式に従って計算し、試験布５枚の平均値を求めた。漂白率により以下の基準で洗浄性能を評価した。その結果を表１に示した。
【００５１】
＜ビリルビン汚染布＞
ビリルビン（メルク社製の試薬）０．０３ｇを１００ｍｌのクロロホルムに溶解した。このビリルビン−クロロホルム溶液０．０６ｍｌを５ｃｍ×５ｃｍの木綿布に均一になるように滴下し、室温で乾燥後、ビリルビン汚染布を得た。
【００５２】
＜漂白率の算出方法＞
漂白率は以下のように算出した。
【００５３】
【数１】
2007009066.tif 000002
【００５４】
反射率は日本電色工業（株）製ＮＤ−３００Ａで４６０ｎｍフィルターを使用して測定した。
評価基準        ◎：９０％以上
○：７０％以上９０％未満
△：５０％以上７０％未満
×：５０％未満
【００５５】
（過酸化水素の安定性評価方法）
前記条件で保存後、１週間後に過酸化水素の残存率（％）を測定した。残存率（％）は、〔（１週間後の組成物中の過酸化水素濃度）／（調製直後の組成物中の過酸化水素濃度）〕×１００により算出した。
【００５６】
（スプレーノズルの状態評価方法）
１週間に一度１０回のスプレーを行い、４週間（その間の保存条件は前記の通り）後の状態を以下の評価基準に従い評価した。
評価基準        ○：ノズルに変化なし
△：ノズルに僅かに付着物がある
×：ノズルに詰まりがみられる（噴霧不良）
【００５７】
＜液体漂白剤組成物＞
表１に示す組成物を調製した。何れも、２０℃におけるｐＨを表１に示したように調整した（１／１０規定硫酸水溶液及び１／１０規定水酸化ナトリウム水溶液で調整）。表１中の成分は以下のものである。
・C12EO10：炭素数１０〜１４の１級アルコールにＥＯを平均１０モル付加させたもの
・C10アルキルグルコシド：炭素数１０〜１２のアルキルグルコシド（糖縮合度ｐ＝１．３）
・ＬＡＳ：アルキル基の炭素数１２〜１４の直鎖アルキルベンゼンスルホン酸ナトリウム
・PHG-30：フェノールにＥＯを平均３モル付加させたもの
・BDG：ジエチレングリコールモノブチルエーテル
・Dequest2010：１−ヒドロキシエタン−１，１−ジホスホン酸（ソルーシア社）
【００５８】
＜吐出容器＞
・吐出容器Ｎｏ．１
実開平７−３７４４号の図１の吐出容器の摺動部及び嵌合部に、下記一般式（３）中のＲが炭素数１の飽和炭化水素基、Ｒ’が炭素数１０のアルキル基、Ａが共にメチル基、ｎ／ｍが１２で、２５℃の粘度が５００ｍＰａ・ｓの長鎖アルキル変性シリコーンを０．０５ｇ／ｍ2の割合で塗布した。この吐出容器は、手動ポンプ組立体（吐出手段）を設け、手動ポンプ組立体に加える手動操作により、容器内容物を泡状に吐出可能としてなる吐出容器であり、手動ポンプ組立体の摺動部及び嵌合部に前記長鎖アルキル変性シリコーンオイルを塗布してなるものである。
【００５９】
【化１】
2007009066.tif 000003
【００６０】
・吐出容器Ｎｏ．２
実開平７−３７４４号の図１の吐出容器の摺動部及び嵌合部に、下記一般式（４）中のＲが炭素数１の飽和炭化水素基、Ｒ’が炭素数１２のアルキル基、Ｒ''が２−フェニルプロピル基、Ｂが共にメチル基、（ｐ＋ｑ）／ｒが９、ｑ／ｐが４で、２５℃の粘度が５００ｍＰａ・ｓの長鎖アルキルアラルキル共変性シリコーンを０．０５ｇ／ｍ2の割合で塗布した。
【００６１】
【化２】
2007009066.tif 000004
【００６２】
・吐出容器Ｎｏ．３
実開平７−３７４４号の図１の吐出容器の摺動部及び嵌合部に、２５℃の粘度が５００ｍＰａ・ｓのジメチルシリコーンを０．０５ｇ／ｍ2の割合で塗布した。
【００６３】
【表１】
2007009066.tif 000005